(57)【要約】【課題】適正なタイミングで出力する音声を切り換える。【解決手段】デジタル放送受信機のＭＰＵ１１は、機能的に、第１受信部１５Ａによって受信された１のテレビジョン放送に対応する音声である第１音声をスピーカ１６３から出力する音声出力部１１９と、第２受信部１５Ｂによって受信された他のテレビジョン放送に対応する音声である第２音声を、第１音声と比較し、第１音声に換えて第２音声をスピーカ１６３から出力させるか否かを判定する切換判定部１１７と、切換判定部１１７の判定結果に基づいて、音声出力部１１９に対して、第１音声に換えて、第２音声をスピーカ１６３から出力させるべく音声切換処理を実行する切換実行部１１８と、を備えている。【選択図】図２
2008131428.tif 000002
【特許請求の範囲】
【請求項１】
１のテレビジョン放送を受信する第１受信手段と、
他のテレビジョン放送を受信する第２受信手段と、
前記第１受信手段によって受信された１のテレビジョン放送に対応する映像である第１映像を親画面としてモニタに表示すると共に、前記第２受信手段によって受信された他のテレビジョン放送に対応する映像である第２映像を子画面としてモニタに表示する表示制御手段と、
前記第１受信手段によって受信された１のテレビジョン放送に対応する音声である第１音声をスピーカから出力する音声出力手段と、
予め設定された所定期間における前記第１音声及び前記第２受信手段によって受信された他のテレビジョン放送に対応する音声である第２音声の音声信号を、それぞれ、周波数分析し、略１００Ｈｚ〜１ｋＨｚの範囲の周波数に対応する振幅の合計値である第１振幅値及び第２振幅値を算出する振幅算出手段と、
前記第１受信手段及び第２受信手段によってそれぞれ受信されている番組のジャンル情報である第１ジャンル情報及び第２ジャンル情報を取得するジャンル取得手段と、
前記ジャンル取得手段によって取得された第１ジャンル情報及び第２ジャンル情報に基づいて、前記所定期間の２以上の所定数倍の期間である第１の所定期間及び第２の所定期間をそれぞれ設定する時間設定手段と、
前記時間設定手段によって設定された第１の所定期間における前記第１振幅値の平均値である第１平均値を算出すると共に、前記時間設定手段によって設定された第２の所定期間における前記第２振幅値の平均値である第２平均値を算出する平均値算出手段と、
前記ジャンル取得手段によって取得された第１ジャンル情報及び第２ジャンル情報に基づいて、前記第１の閾値及び第２の閾値をそれぞれ設定する閾値設定手段と、
前記第２平均値から第１平均値を引いた差が前記閾値設定手段によって設定された第１の閾値以上であるか否かを判定し、前記第１の閾値以上である場合に、前記第１音声に換えて前記第２音声をスピーカから出力させると判定する切換判定手段と、
前記切換判定手段の判定結果に基づいて、前記音声出力手段に対して、前記第１音声に換えて、前記第２音声をスピーカから出力させるべく音声切換処理を実行する切換実行手段と、
を備え、
前記切換判定手段は、前記切換実行手段によって前記音声切換処理が実行された場合に、前記第１平均値から第２平均値を引いた差が前記閾値設定手段によって設定された第２の閾値以上であるか否かを判定し、前記第２の閾値以上である場合に、前記第２音声に換えて前記第１音声をスピーカから出力させると判定し、
前記切換実行手段は、前記切換判定手段の判定結果に基づいて、前記音声出力手段に対して、前記第２音声に換えて、前記第１音声をスピーカから出力させるべく音声切換処理を実行することを特徴とする放送受信装置。
【請求項２】
１のテレビジョン放送を受信する第１受信手段と、
他のテレビジョン放送を受信する第２受信手段と、
前記第１受信手段によって受信された１のテレビジョン放送に対応する映像である第１映像を親画面としてモニタに表示すると共に、前記第２受信手段によって受信された他のテレビジョン放送に対応する映像である第２映像を子画面としてモニタに表示する表示制御手段と、
前記第１受信手段によって受信された１のテレビジョン放送に対応する音声である第１音声をスピーカから出力する音声出力手段と、
前記第２受信手段によって受信された他のテレビジョン放送に対応する音声である第２音声を、前記第１音声と比較し、前記第１音声に換えて前記第２音声をスピーカから出力させるか否かを判定する切換判定手段と、
前記切換判定手段の判定結果に基づいて、前記音声出力手段に対して、前記第１音声に換えて、前記第２音声をスピーカから出力させるべく音声切換処理を実行する切換実行手段と、
を備えることを特徴とする放送受信装置。
【請求項３】
予め設定された所定期間における前記第１音声及び第２音声の音声信号を、それぞれ、周波数分析し、予め設定された所定範囲の周波数に対応する振幅の合計値である第１振幅値及び第２振幅値を算出する振幅算出手段を備え、
前記切換判定手段は、前記第１振幅値及び第２振幅値に基づいて、前記第１音声に換えて前記第２音声をスピーカから出力させるか否かを判定することを特徴とする請求項２に記載の放送受信装置。
【請求項４】
前記所定範囲の周波数は、略１００Ｈｚ〜１ｋＨｚであることを特徴とする請求項３に記載の放送受信装置。
【請求項５】
前記所定期間の予め設定された２以上の所定数倍の期間である第１の所定期間における前記第１振幅値の平均値である第１平均値を算出すると共に、前記所定期間の予め設定された２以上の所定数倍の期間である第２の所定期間における前記第２振幅値の平均値である第２平均値を算出する平均値算出手段を備え、
前記切換判定手段は、前記第１平均値及び第２平均値に基づいて、前記第１音声に換えて前記第２音声をスピーカから出力させるか否かを判定することを特徴とする請求項３又は請求項４に記載の放送受信装置。
【請求項６】
前記切換判定手段は、前記第２平均値から第１平均値を引いた差が予め設定された第１の閾値以上であるか否かを判定し、第１の閾値以上である場合に、前記第１音声に換えて前記第２音声をスピーカから出力させると判定することを特徴とする請求項５に記載の放送受信装置。
【請求項７】
前記第１受信手段及び第２受信手段によってそれぞれ受信されている番組のジャンル情報である第１ジャンル情報及び第２ジャンル情報を取得するジャンル取得手段と、
取得された第１ジャンル情報及び第２ジャンル情報に基づいて、前記第１の所定期間及び第２の所定期間をそれぞれ設定する時間設定手段と、
を備え、
前記平均値算出手段は、前記時間設定手段によって設定された第１の所定期間における前記第１振幅値の平均値を前記第１平均値として算出すると共に、前記時間設定手段によって設定された第２の所定期間における前記第２振幅値の平均値を前記第２平均値として算出することを特徴とする請求項６に記載の放送受信装置。
【請求項８】
前記ジャンル取得手段によって取得された第１ジャンル情報及び第２ジャンル情報に基づいて、前記第１の閾値を設定する閾値設定手段を備え、
前記切換判定手段は、前記閾値設定手段によって設定された第１の閾値を用いて判定することを特徴とする請求項７に記載の放送受信装置。
【請求項９】
前記切換判定手段は、前記切換実行手段によって前記音声切換処理が実行された場合に、前記第１平均値及び第２平均値に基づいて、前記第２音声に換えて前記第１音声をスピーカから出力させるか否かを判定し、
前記切換実行手段は、前記切換判定手段の判定結果に基づいて、前記音声出力手段に対して、前記第２音声に換えて、前記第１音声をスピーカから出力させるべく音声切換処理を実行することを特徴とする請求項７又は請求項８に記載の放送受信装置。
【請求項１０】
前記切換判定手段は、前記第１平均値から第２平均値を引いた差が予め設定された第２の閾値以上であるか否かを判定し、第２の閾値以上である場合に、前記第２音声に換えて前記第１音声をスピーカから出力させると判定することを特徴とする請求項９に記載の放送受信装置。
【請求項１１】
前記閾値設定手段は、前記ジャンル取得手段によって取得された第１ジャンル情報及び第２ジャンル情報に基づいて、前記第２の閾値を設定し、
前記切換判定手段は、前記閾値設定手段によって設定された第２の閾値を用いて判定することを特徴とする請求項１０に記載の放送受信装置。
【発明の詳細な説明】
【技術分野】
【０００１】
本発明は、テレビジョン放送を受信し、外部から視認可能にモニタに出力可能に構成された放送受信装置に関する。特に、１のテレビジョン放送を受信する第１受信手段と、他のテレビジョン放送を受信する第２受信手段と、前記第１受信手段によって受信された１のテレビジョン放送に対応する映像である第１映像を親画面としてモニタに表示すると共に、前記第２受信手段によって受信された他のテレビジョン放送に対応する映像である第２映像を子画面としてモニタに表示する表示制御手段と、を備える放送受信装置に関する。
【背景技術】
【０００２】
近年、デジタル放送の普及に伴い、テレビジョン放送の多チャンネル化が進んでいる。この様な多チャンネル化に伴い、放送受信装置に配設された１のモニタに複数番組の映像を同時に表示するマルチ画面表示技術が提案されている。また、マルチ画面表示されている各番組の音声を同時に出力しても、これらを聞き分けるのは困難であるため、マルチ画面表示している複数の番組のうちの１の音声を選択して出力する場合が多い。例えば、複数の番組のうちの一つを親画面として大きく表示し、他の番組を子画面として表示する場合には、親画面の音声のみを出力し、子画面の音声は出力されない。
【０００３】
このマルチ画面表示をしている際に、ユーザは、親画面の映像に注目しているため、子画面に表示された番組が、決定的なシーン、盛り上がったシーン等（以下、注目シーンという）となっても気付かずに、その注目シーンを見逃してしまう場合があるという課題があった。この課題を解消するために、種々の装置が提案されている。例えば、子画面に表示された番組の音声の状態に応じて、親画面に表示された番組の音声データ、及び、子画面に表示された番組の音声データの内、一方の音声データを選択してスピーカに出力する放送受信装置が開示されている（特許文献１参照）。
【０００４】
この放送受信装置は、子画面に表示された番組の音声データを周波数分析して歓声に対応する周波数成分が予め設定されたレベルより大きくなると、親画面に表示された番組の音声に換えて、子画面に表示された番組の音声を出力するものであり、子画面に表示された番組が注目シーンとなった場合に、その注目シーンを見逃すことを防止することができる。
【特許文献１】特開２００６−６７２０５号公報
【発明の開示】
【発明が解決しようとする課題】
【０００５】
しかしながら、上記放送受信装置では、例えば、親画面に表示された番組が注目シーンである場合にも、子画面に表示された番組の音声に切り換えられる虞があり、適正なタイミングでスピーカに出力する音声を切り換えることができない場合がある。また、例えば、子画面に表示された番組の音声データについて、周波数分析の対象とする期間が適正な期間より短い場合には、注目シーンではない場合にも音声データが切り換えられ虞があり、逆に、周波数分析の対象とする期間が適正な期間より長い場合には、注目シーンである場合にも音声データが切り換えられない虞がある。
【０００６】
本発明は、上記課題に鑑みてなされたものであって、適正なタイミングで出力する音声を切り換えることの可能な放送受信装置を提供することを目的としている。
【課題を解決するための手段】
【０００７】
上記目的を達成するために請求項１に記載の放送受信装置は、１のテレビジョン放送を受信する第１受信手段と、他のテレビジョン放送を受信する第２受信手段と、前記第１受信手段によって受信された１のテレビジョン放送に対応する映像である第１映像を親画面としてモニタに表示すると共に、前記第２受信手段によって受信された他のテレビジョン放送に対応する映像である第２映像を子画面としてモニタに表示する表示制御手段と、前記第１受信手段によって受信された１のテレビジョン放送に対応する音声である第１音声をスピーカから出力する音声出力手段と、予め設定された所定期間における前記第１音声及び前記第２受信手段によって受信された他のテレビジョン放送に対応する音声である第２音声の音声信号を、それぞれ、周波数分析し、略１００Ｈｚ〜１ｋＨｚの範囲の周波数に対応する振幅の合計値である第１振幅値及び第２振幅値を算出する振幅算出手段と、前記第１受信手段及び第２受信手段によってそれぞれ受信されている番組のジャンル情報である第１ジャンル情報及び第２ジャンル情報を取得するジャンル取得手段と、前記ジャンル取得手段によって取得された第１ジャンル情報及び第２ジャンル情報に基づいて、前記所定期間の２以上の所定数倍の期間である第１の所定期間及び第２の所定期間をそれぞれ設定する時間設定手段と、前記時間設定手段によって設定された第１の所定期間における前記第１振幅値の平均値である第１平均値を算出すると共に、前記時間設定手段によって設定された第２の所定期間における前記第２振幅値の平均値である第２平均値を算出する平均値算出手段と、前記ジャンル取得手段によって取得された第１ジャンル情報及び第２ジャンル情報に基づいて、前記第１の閾値及び第２の閾値をそれぞれ設定する閾値設定手段と、前記第２平均値から第１平均値を引いた差が前記閾値設定手段によって設定された第１の閾値以上であるか否かを判定し、前記第１の閾値以上である場合に、前記第１音声に換えて前記第２音声をスピーカから出力させると判定する切換判定手段と、前記切換判定手段の判定結果に基づいて、前記音声出力手段に対して、前記第１音声に換えて、前記第２音声をスピーカから出力させるべく音声切換処理を実行する切換実行手段と、を備え、前記切換判定手段が、前記切換実行手段によって前記音声切換処理が実行された場合に、前記第１平均値から第２平均値を引いた差が前記閾値設定手段によって設定された第２の閾値以上であるか否かを判定し、前記第２の閾値以上である場合に、前記第２音声に換えて前記第１音声をスピーカから出力させると判定し、前記切換実行手段が、前記切換判定手段の判定結果に基づいて、前記音声出力手段に対して、前記第２音声に換えて、前記第１音声をスピーカから出力させるべく音声切換処理を実行することを特徴としている。
【０００８】
請求項２に記載の放送受信装置は、１のテレビジョン放送を受信する第１受信手段と、他のテレビジョン放送を受信する第２受信手段と、前記第１受信手段によって受信された１のテレビジョン放送に対応する映像である第１映像を親画面としてモニタに表示すると共に、前記第２受信手段によって受信された他のテレビジョン放送に対応する映像である第２映像を子画面としてモニタに表示する表示制御手段と、前記第１受信手段によって受信された１のテレビジョン放送に対応する音声である第１音声をスピーカから出力する音声出力手段と、前記第２受信手段によって受信された他のテレビジョン放送に対応する音声である第２音声を、前記第１音声と比較し、前記第１音声に換えて前記第２音声をスピーカから出力させるか否かを判定する切換判定手段と、前記切換判定手段の判定結果に基づいて、前記音声出力手段に対して、前記第１音声に換えて、前記第２音声をスピーカから出力させるべく音声切換処理を実行する切換実行手段と、を備えることを特徴としている。
【０００９】
請求項３に記載の放送受信装置は、請求項２に記載の放送受信装置であって、予め設定された所定期間における前記第１音声及び第２音声の音声信号を、それぞれ、周波数分析し、予め設定された所定範囲の周波数に対応する振幅の合計値である第１振幅値及び第２振幅値を算出する振幅算出手段を備え、前記切換判定手段が、前記第１振幅値及び第２振幅値に基づいて、前記第１音声に換えて前記第２音声をスピーカから出力させるか否かを判定することを特徴としている。
【００１０】
請求項４に記載の放送受信装置は、請求項３に記載の放送受信装置であって、前記所定範囲の周波数が、略１００Ｈｚ〜１ｋＨｚであることを特徴としている。
【００１１】
請求項５に記載の放送受信装置は、請求項３又は請求項４に記載の放送受信装置であって、前記所定期間の予め設定された２以上の所定数倍の期間である第１の所定期間における前記第１振幅値の平均値である第１平均値を算出すると共に、前記所定期間の予め設定された２以上の所定数倍の期間である第２の所定期間における前記第２振幅値の平均値である第２平均値を算出する平均値算出手段を備え、前記切換判定手段が、前記第１平均値及び第２平均値に基づいて、前記第１音声に換えて前記第２音声をスピーカから出力させるか否かを判定することを特徴としている。
【００１２】
請求項６に記載の放送受信装置は、請求項５に記載の放送受信装置であって、前記切換判定手段が、前記第２平均値から第１平均値を引いた差が予め設定された第１の閾値以上であるか否かを判定し、第１の閾値以上である場合に、前記第１音声に換えて前記第２音声をスピーカから出力させると判定することを特徴としている。
【００１３】
請求項７に記載の放送受信装置は、請求項６に記載の放送受信装置であって、前記第１受信手段及び第２受信手段によってそれぞれ受信されている番組のジャンル情報である第１ジャンル情報及び第２ジャンル情報を取得するジャンル取得手段と、取得された第１ジャンル情報及び第２ジャンル情報に基づいて、前記第１の所定期間及び第２の所定期間をそれぞれ設定する時間設定手段と、を備え、前記平均値算出手段が、前記時間設定手段によって設定された第１の所定期間における前記第１振幅値の平均値を前記第１平均値として算出すると共に、前記時間設定手段によって設定された第２の所定期間における前記第２振幅値の平均値を前記第２平均値として算出することを特徴としている。
【００１４】
請求項８に記載の放送受信装置は、請求項７に記載の放送受信装置であって、前記ジャンル取得手段によって取得された第１ジャンル情報及び第２ジャンル情報に基づいて、前記第１の閾値を設定する閾値設定手段を備え、前記切換判定手段が、前記閾値設定手段によって設定された第１の閾値を用いて判定することを特徴としている。
【００１５】
請求項９に記載の放送受信装置は、請求項７又は請求項８に記載の放送受信装置であって、前記切換判定手段が、前記切換実行手段によって前記音声切換処理が実行された場合に、前記第１平均値及び第２平均値に基づいて、前記第２音声に換えて前記第１音声をスピーカから出力させるか否かを判定し、前記切換実行手段が、前記切換判定手段の判定結果に基づいて、前記音声出力手段に対して、前記第２音声に換えて、前記第１音声をスピーカから出力させるべく音声切換処理を実行することを特徴としている。
【００１６】
請求項１０に記載の放送受信装置は、請求項９に記載の放送受信装置であって、前記切換判定手段が、前記第１平均値から第２平均値を引いた差が予め設定された第２の閾値以上であるか否かを判定し、第２の閾値以上である場合に、前記第２音声に換えて前記第１音声をスピーカから出力させると判定することを特徴としている。
【００１７】
請求項１１に記載の放送受信装置は、請求項１０に記載の放送受信装置であって、前記閾値設定手段が、前記ジャンル取得手段によって取得された第１ジャンル情報及び第２ジャンル情報に基づいて、前記第２の閾値を設定し、前記切換判定手段が、前記閾値設定手段によって設定された第２の閾値を用いて判定することを特徴としている。
【発明の効果】
【００１８】
請求項１に記載の放送受信装置によれば、子画面としてモニタに表示する他のテレビジョン放送に対応する音声である第２音声が、親画面としてモニタに表示する１のテレビジョン放送に対応する音声である第１音声と比較され、第１音声に換えて第２音声をスピーカから出力させるか否かが判定される。そして、その判定結果に基づいて、第１音声に換えて、第２音声をスピーカから出力させるべく音声切換処理が実行されるため、適正なタイミングで出力する音声を切り換えることができる。
【００１９】
すなわち、第２音声が第１音声と比較されて、第１音声に換えて第２音声をスピーカから出力させるか否かが判定されるため、例えば、親画面に表示された番組が注目シーンである場合に、子画面に表示された番組の音声に切り換えられることが防止されるので、適正なタイミングで出力する音声を切り換えることができるのである。
【００２０】
また、予め設定された所定期間における第１音声及び第２音声の音声信号が、それぞれ、周波数分析され、予め設定された所定範囲の周波数に対応する振幅の合計値である第１振幅値及び第２振幅値が算出され、第１振幅値及び第２振幅値に基づいて、第１音声に換えて第２音声をスピーカから出力させるか否かが判定されるため、更に適正なタイミングで出力する音声を切り換えることができる。
【００２１】
すなわち、第１音声及び第２音声の音声信号を周波数分析する対象の期間と、判定に使用する音声信号の周波数の範囲とを適正に設定する（例えば、周波数分析する対象の期間を５０ｍｓｅｃとし、判定に使用する音声信号の周波数の範囲を略１００Ｈｚ〜１ｋＨｚとする）ことによって、更に適正なタイミングで出力する音声を切り換えることができるのである。
【００２２】
更に、所定範囲の周波数が、略１００Ｈｚ〜１ｋＨｚであるため、更に適正なタイミングで出力する音声を切り換えることができる。すなわち、判定に使用する音声信号の周波数の範囲が、人の発する声の周波数に相当する略１００Ｈｚ〜１ｋＨｚであるため、更に適正なタイミングで出力する音声を切り換えることができるのである。
【００２３】
加えて、所定期間の予め設定された２以上の所定数倍の期間である第１の所定期間における第１振幅値の平均値である第１平均値が算出されると共に、所定期間の予め設定された２以上の所定数倍の期間である第２の所定期間における第２振幅値の平均値である第２平均値が算出され、第１平均値及び第２平均値に基づいて、第１音声に換えて第２音声をスピーカから出力させるか否かが判定されるため、更に適正なタイミングで出力する音声を切り換えることができる。
【００２４】
すなわち、第１音声については、所定期間の予め設定された２以上の所定数倍の期間である第１の所定期間における第１振幅値の平均値である第１平均値が算出され、第２音声については、所定期間の予め設定された２以上の所定数倍の期間である第２の所定期間における第２振幅値の平均値である第２平均値が算出されて、第１平均値及び第２平均値に基づいて、判定されるため、第１の所定期間及び第２の所定期間を適正に設定することによって、更に適正なタイミングで出力する音声を切り換えることができるのである。
【００２５】
例えば、１のテレビジョン放送に対応する番組が、音声レベルの変動の早い番組（例えば、スポーツ中継等）であり、他のテレビジョン放送に対応する番組が、音声レベルの変動の遅い番組（例えば、ドラマ等）である場合には、第１の所定期間を０．５ｓｅｃ、第２の所定期間を５ｓｅｃとすることによって、更に適正なタイミングで出力する音声を切り換えることができるのである。
【００２６】
また、第２平均値から第１平均値を引いた差が予め設定された第１の閾値以上であるか否かが判定され、第１の閾値以上である場合に、第１音声に換えて第２音声をスピーカから出力させると判定されるとため、更に適正なタイミングで出力する音声を切り換えることができる。
【００２７】
すなわち、第１の閾値を適正に設定することによって、更に適正なタイミングで出力する音声を切り換えることができるのである。例えば、ユーザが音声を切り換える頻度を減少させたい場合には、第１の閾値を大きく設定し、ユーザが音声を切り換える頻度を増加させたい場合には、第１の閾値を小さく設定することによって、適正な頻度で音声を切り換えることができるのである。
【００２８】
更に、１のテレビジョン放送及び他のテレビジョン放送にそれぞれ対応する番組のジャンル情報である第１ジャンル情報及び第２ジャンル情報が取得され、取得された第１ジャンル情報及び第２ジャンル情報に基づいて、第１の所定期間及び第２の所定期間がそれぞれ設定される。そして、設定された第１の所定期間における第１振幅値の平均値が第１平均値として算出されると共に、設定された第２の所定期間における第２振幅値の平均値が第２平均値として算出されるため、更に適正なタイミングで出力する音声を切り換えることができる。
【００２９】
すなわち、番組のジャンル情報に基づいて第１の所定期間及び第２の所定期間がそれぞれ設定されるため、第１の所定期間及び第２の所定期間を適正な値に設定することができるので、更に適正なタイミングで出力する音声を切り換えることができるのである。
【００３０】
例えば、１のテレビジョン放送に対応する番組のジャンルが、音声レベルの変動の早いジャンル（例えば、スポーツ中継等）であり、他のテレビジョン放送に対応する番組のジャンルが、音声レベルの変動の遅いジャンル（例えば、ドラマ等）である場合には、第１の所定期間を０．５ｓｅｃ、第２の所定期間を５ｓｅｃとすることによって、更に適正なタイミングで出力する音声を切り換えることができるのである。
【００３１】
加えて、１のテレビジョン放送及び他のテレビジョン放送にそれぞれ対応する番組のジャンル情報である第１ジャンル情報及び第２ジャンル情報に基づいて、第１の閾値が設定され、設定された第１の閾値を用いて判定されるため、更に適正なタイミングで出力する音声を切り換えることができる。
【００３２】
すなわち、番組のジャンル情報に基づいて第１の閾値が設定されるため、第１の閾値を適正な値に設定することができるので、更に適正なタイミングで出力する音声を切り換えることができるのである。
【００３３】
例えば、１のテレビジョン放送に対応する番組のジャンルが、音声レベルの高いジャンル（例えば、スポーツ中継等）であり、他のテレビジョン放送に対応する番組のジャンルが、音声レベルの低いジャンル（例えば、ドラマ等）である場合には、第１の閾値を大きく設定することによって、更に適正なタイミングで出力する音声を切り換えることができるのである。
【００３４】
また、第１音声に換えて第２音声をスピーカから出力させる音声切換処理が実行された場合に、第１平均値及び第２平均値に基づいて、第２音声に換えて第１音声をスピーカから出力させるか否かが判定され、その判定結果に基づいて、第２音声に換えて、第１音声をスピーカから出力させるべく音声切換処理が実行されるため、適正なタイミングで出力する音声を元に戻す（＝第２音声に換えて第１音声を出力する）ことができる。
【００３５】
更に、第１平均値から第２平均値を引いた差が予め設定された第２の閾値以上であるか否かが判定され、第２の閾値以上である場合に、第２音声に換えて第１音声をスピーカから出力させると判定されるため、第２の閾値を適正な値に設定することによって、更に適正なタイミングで出力する音声を元に戻す（＝第２音声に換えて第１音声を出力する）ことができる。
【００３６】
加えて、第１ジャンル情報及び第２ジャンル情報に基づいて、第２の閾値が設定され、設定された第２の閾値を用いて判定されるため、更に適正なタイミングで出力する音声を元に戻す（＝第２音声に換えて第１音声を出力する）ことができる。
【００３７】
すなわち、番組のジャンル情報に基づいて第２の閾値が設定されるため、第２の閾値を適正な値に設定することができるので、更に適正なタイミングで出力する音声を元に戻す（＝第２音声に換えて第１音声を出力する）ことができるのである。
【００３８】
例えば、１のテレビジョン放送に対応する番組のジャンルが、音声レベルの高いジャンル（例えば、スポーツ中継等）であり、他のテレビジョン放送に対応する番組のジャンルが、音声レベルの低いジャンル（例えば、ドラマ等）である場合には、第２の閾値を小さく設定することによって、更に適正なタイミングで出力する音声を元に戻す（＝第２音声に換えて第１音声を出力する）ことができるのである。
【００３９】
請求項２に記載の放送受信装置によれば、子画面としてモニタに表示する他のテレビジョン放送に対応する音声である第２音声が、親画面としてモニタに表示する１のテレビジョン放送に対応する音声である第１音声と比較され、第１音声に換えて第２音声をスピーカから出力させるか否かが判定される。そして、その判定結果に基づいて、第１音声に換えて、第２音声をスピーカから出力させるべく音声切換処理が実行されるため、適正なタイミングで出力する音声を切り換えることができる。
【００４０】
すなわち、第２音声が第１音声と比較されて、第１音声に換えて第２音声をスピーカから出力させるか否かが判定されるため、例えば、親画面に表示された番組が注目シーンである場合に、子画面に表示された番組の音声に切り換えられることが防止されるので、適正なタイミングで出力する音声を切り換えることができるのである。
【００４１】
請求項３に記載の放送受信装置によれば、予め設定された所定期間における第１音声及び第２音声の音声信号が、それぞれ、周波数分析され、予め設定された所定範囲の周波数に対応する振幅の合計値である第１振幅値及び第２振幅値が算出され、第１振幅値及び第２振幅値に基づいて、第１音声に換えて前記第２音声をスピーカから出力させるか否かが判定されるため、更に適正なタイミングで出力する音声を切り換えることができる。
【００４２】
すなわち、第１音声及び第２音声の音声信号を周波数分析する対象の期間と、判定に使用する音声信号の周波数の範囲とを適正に設定する（例えば、周波数分析する対象の期間を５０ｍｓｅｃとし、判定に使用する音声信号の周波数の範囲を略１００Ｈｚ〜１ｋＨｚとする）ことによって、更に適正なタイミングで出力する音声を切り換えることができるのである。
【００４３】
請求項４に記載の放送受信装置によれば、所定範囲の周波数が、略１００Ｈｚ〜１ｋＨｚであるため、更に適正なタイミングで出力する音声を切り換えることができる。すなわち、判定に使用する音声信号の周波数の範囲が、人の発する声の周波数に相当する略１００Ｈｚ〜１ｋＨｚであるため、更に適正なタイミングで出力する音声を切り換えることができるのである。
【００４４】
請求項５に記載の放送受信装置によれば、所定期間の予め設定された２以上の所定数倍の期間である第１の所定期間における第１振幅値の平均値である第１平均値が算出されると共に、所定期間の予め設定された２以上の所定数倍の期間である第２の所定期間における第２振幅値の平均値である第２平均値が算出され、第１平均値及び第２平均値に基づいて、第１音声に換えて第２音声をスピーカから出力させるか否かが判定されるため、更に適正なタイミングで出力する音声を切り換えることができる。
【００４５】
すなわち、第１音声については、所定期間の予め設定された２以上の所定数倍の期間である第１の所定期間における第１振幅値の平均値である第１平均値が算出され、第２音声については、所定期間の予め設定された２以上の所定数倍の期間である第２の所定期間における第２振幅値の平均値である第２平均値が算出されて、第１平均値及び第２平均値に基づいて、判定されるため、第１の所定期間及び第２の所定期間を適正に設定することによって、更に適正なタイミングで出力する音声を切り換えることができるのである。
【００４６】
例えば、１のテレビジョン放送に対応する番組が、音声レベルの変動の早い番組（例えば、スポーツ中継等）であり、他のテレビジョン放送に対応する番組が、音声レベルの変動の遅い番組（例えば、ドラマ等）である場合には、第１の所定期間を０．５ｓｅｃ、第２の所定期間を５ｓｅｃとすることによって、更に適正なタイミングで出力する音声を切り換えることができるのである。
【００４７】
請求項６に記載の放送受信装置によれば、第２平均値から第１平均値を引いた差が予め設定された第１の閾値以上であるか否かが判定され、第１の閾値以上である場合に、第１音声に換えて第２音声をスピーカから出力させると判定されるとため、更に適正なタイミングで出力する音声を切り換えることができる。
【００４８】
すなわち、第１の閾値を適正に設定することによって、更に適正なタイミングで出力する音声を切り換えることができるのである。例えば、ユーザが音声を切り換える頻度を減少させたい場合には、第１の閾値を大きく設定し、ユーザが音声を切り換える頻度を増加させたい場合には、第１の閾値を小さく設定することによって、適正な頻度で音声を切り換えることができるのである。
【００４９】
請求項７に記載の放送受信装置によれば、１のテレビジョン放送及び他のテレビジョン放送にそれぞれ対応する番組のジャンル情報である第１ジャンル情報及び第２ジャンル情報が取得され、取得された第１ジャンル情報及び第２ジャンル情報に基づいて、第１の所定期間及び第２の所定期間がそれぞれ設定される。そして、設定された第１の所定期間における第１振幅値の平均値が第１平均値として算出されると共に、設定された第２の所定期間における第２振幅値の平均値が第２平均値として算出されるため、更に適正なタイミングで出力する音声を切り換えることができる。
【００５０】
すなわち、番組のジャンル情報に基づいて第１の所定期間及び第２の所定期間がそれぞれ設定されるため、第１の所定期間及び第２の所定期間を適正な値に設定することができるので、更に適正なタイミングで出力する音声を切り換えることができるのである。
【００５１】
例えば、１のテレビジョン放送に対応する番組のジャンルが、音声レベルの変動の早いジャンル（例えば、スポーツ中継等）であり、他のテレビジョン放送に対応する番組のジャンルが、音声レベルの変動の遅いジャンル（例えば、ドラマ等）である場合には、第１の所定期間を０．５ｓｅｃ、第２の所定期間を５ｓｅｃとすることによって、更に適正なタイミングで出力する音声を切り換えることができるのである。
【００５２】
請求項８に記載の放送受信装置によれば、１のテレビジョン放送及び他のテレビジョン放送にそれぞれ対応する番組のジャンル情報である第１ジャンル情報及び第２ジャンル情報に基づいて、第１の閾値が設定され、設定された第１の閾値を用いて判定されるため、更に適正なタイミングで出力する音声を切り換えることができる。
【００５３】
すなわち、番組のジャンル情報に基づいて第１の閾値が設定されるため、第１の閾値を適正な値に設定することができるので、更に適正なタイミングで出力する音声を切り換えることができるのである。
【００５４】
例えば、１のテレビジョン放送に対応する番組のジャンルが、音声レベルの高いジャンル（例えば、スポーツ中継等）であり、他のテレビジョン放送に対応する番組のジャンルが、音声レベルの低いジャンル（例えば、ドラマ等）である場合には、第１の閾値を大きく設定することによって、更に適正なタイミングで出力する音声を切り換えることができるのである。
【００５５】
請求項９に記載の放送受信装置によれば、第１音声に換えて第２音声をスピーカから出力させる音声切換処理が実行された場合に、第１平均値及び第２平均値に基づいて、第２音声に換えて第１音声をスピーカから出力させるか否かが判定され、その判定結果に基づいて、第２音声に換えて、第１音声をスピーカから出力させるべく音声切換処理が実行されるため、適正なタイミングで出力する音声を元に戻す（＝第２音声に換えて第１音声を出力する）ことができる。
【００５６】
請求項１０に記載の放送受信装置によれば、第１平均値から第２平均値を引いた差が予め設定された第２の閾値以上であるか否かが判定され、第２の閾値以上である場合に、第２音声に換えて第１音声をスピーカから出力させると判定されるため、第２の閾値を適正な値に設定することによって、更に適正なタイミングで出力する音声を元に戻す（＝第２音声に換えて第１音声を出力する）ことができる。
【００５７】
請求項１１に記載の放送受信装置によれば、第１ジャンル情報及び第２ジャンル情報に基づいて、第２の閾値が設定され、設定された第２の閾値を用いて判定されるため、更に適正なタイミングで出力する音声を元に戻す（＝第２音声に換えて第１音声を出力する）ことができる。
【００５８】
すなわち、番組のジャンル情報に基づいて第２の閾値が設定されるため、第２の閾値を適正な値に設定することができるので、更に適正なタイミングで出力する音声を元に戻す（＝第２音声に換えて第１音声を出力する）ことができるのである。
【００５９】
例えば、１のテレビジョン放送に対応する番組のジャンルが、音声レベルの高いジャンル（例えば、スポーツ中継等）であり、他のテレビジョン放送に対応する番組のジャンルが、音声レベルの低いジャンル（例えば、ドラマ等）である場合には、第２の閾値を小さく設定することによって、更に適正なタイミングで出力する音声を元に戻す（＝第２音声に換えて第１音声を出力する）ことができるのである。
【発明を実施するための最良の形態】
【００６０】
以下に本発明の実施形態を、図面を参照しながら説明する。図１は、本発明に係るデジタル放送受信装置の構成の一例を示すブロック図である。デジタル放送受信機１（放送受信装置に相当する）は、テレビジョン放送を受信し、後述するディスプレイ１８３及びスピーカ１６３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、画像合成部１９を備えている。
【００６１】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００６２】
操作部１４は、電源のＯＮ、ＯＦＦ操作、選局等の各種操作を受け付けるものである。受信部１５は、テレビジョン放送を受信して復調するものであって、１のテレビジョン放送を受信する第１受信部１５Ａ（第１受信手段に相当する）と、他のテレビジョン放送を受信する第２受信部１５Ｂ（第２受信手段に相当する）と、を備えている。第１受信部１５Ａと第２受信部１５Ｂとは、略同一の構成を有するため、以下の説明においては、特に必要な場合を除いて、両者を区別することなく受信部１５と総称する。受信部１５は、アンテナ部１５１、チューナ部１５２、Ａ／Ｄ変換部１５３、復調部１５４、及び、ＴＳデマルチプレクサ１５５を備えている。
【００６３】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００６４】
音声出力部１６は、受信部１５によって受信された１のテレビジョン放送（又は他のテレビジョン放送）に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００６５】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００６６】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００６７】
画像合成部１９（表示制御手段の一部に相当する）は、第１受信部１５Ａによって受信された１のテレビジョン放送に対応する映像である第１映像を親画面としてディスプレイ１８３に表示すると共に、第２受信部１５Ｂによって受信された他のテレビジョン放送に対応する映像である第２映像を子画面としてディスプレイ１８３に表示するべく、画像合成処理を行うものである。すなわち、画像合成部１９は、第１受信部１５Ａによって受信された１のテレビジョン放送に対応する映像である第１映像を親画面とし、第２受信部１５Ｂによって受信された他のテレビジョン放送に対応する映像である第２映像を親画面の一部分に（例えば、親画面の右下部に）子画面として合成して、合成画像を生成するものである。
【００６８】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００６９】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、この制御情報がＴＳデマルチプレクサ１５５によって、分離して出力され、ＲＡＭ１２に格納される。そして、ＲＡＭ１２から読み出された１のテレビジョン放送（又は他のテレビジョン放送）に対応する音声情報がＤ／Ａ変換部１６１によってアナログ信号に変換され、音声信号出力部１６２を介してスピーカ１６３から音声が出力される。
【００７０】
また、ＲＡＭ１２から読み出された１のテレビジョン放送及び他のテレビジョン放送に対応する動画像情報がＭＰＥＧ２デコード部１７によって圧縮前の動画像情報に復号化され、画像合成部１９によって画像合成された後、ＮＴＳＣエンコード部１８１によってＮＴＳＣ方式のテレビジョン信号に変換されて、映像信号出力部１８２を介してディスプレイ１８３に動画像（＝１のテレビジョン放送及び他のテレビジョン放送に対応する動画像情報がそれぞれ親画面及び子画面として合成された合成動画像）が表示される。
【００７１】
図２は、本発明に係るデジタル放送受信機１の主要部の構成の一例を示すブロック図である。図１に示すデジタル放送受信機１のＭＰＵ１１は、機能的に、表示制御部１１１、振幅算出部１１２、ジャンル取得部１１３、時間設定部１１４、平均値算出部１１５、閾値設定部１１６、切換判定部１１７、切換実行部１１８、及び、音声出力部１１９を備えている。
【００７２】
ここでは、ＭＰＵ１１が、図１に示すＲＯＭ１３等に予め格納された制御プログラムを読み出して実行することにより、表示制御部１１１、振幅算出部１１２、ジャンル取得部１１３、時間設定部１１４、平均値算出部１１５、閾値設定部１１６、切換判定部１１７、切換実行部１１８、音声出力部１１９等の機能部として機能するものである。
【００７３】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００７４】
表示制御部１１１（表示制御手段の一部に相当する）は、図１に示す画像合成部１９を介して、第１受信部１５Ａによって受信された１のテレビジョン放送に対応する映像である第１映像を親画面としてディスプレイ１８３に表示すると共に、第２受信部１５Ｂによって受信された他のテレビジョン放送に対応する映像である第２映像を子画面としてディスプレイ１８３に表示するものである。
【００７５】
振幅算出部１１２（振幅算出手段に相当する）は、予め設定された所定期間（例えば、５０ｍｓｅｃ）における、第１受信部１５Ａによって受信された１のテレビジョン放送に対応する音声である第１音声、及び、第２受信部１５Ｂによって受信された他のテレビジョン放送に対応する音声である第２音声の音声信号を、それぞれ、フーリエ変換（Ｆｏｕｒｉｅｒ  ｔｒａｎｓｆｏｒｍ）等により周波数分析し、１００Ｈｚ〜１ｋＨｚの範囲の周波数に対応する振幅の合計値である第１振幅値ＡＭＰ１及び第２振幅値ＡＭＰ２を算出するものである。
【００７６】
ジャンル取得部１１３（ジャンル取得手段に相当する）は、例えば、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）  Ｓｔａｎｄａｒｄ  Ａ／６５ｃに規定される番組情報テーブル（Ｅｖｅｎｔ  Ｉｎｆｏｒｍａｔｉｏｎ  Ｔａｂｌｅ）等を介して、第１受信部１５Ａ及び第２受信部１５Ｂによってそれぞれ受信されている番組のジャンル情報である第１ジャンル情報及び第２ジャンル情報を、取得するものである。
【００７７】
ここでは、便宜上、番組情報テーブルにジャンル情報が含まれている場合について説明するが、番組情報テーブルにジャンル情報が含まれていない場合には、種々の方法により番組情報テーブルに格納された情報からジャンル情報を生成する形態でもよい。例えば、番組情報テーブルに格納された番組名情報から、ジャンル情報を生成する形態でもよい。また、ジャンル情報で示されるジャンルは、例えば、スポーツ、ドラマ、バラエティー、映画等の、番組の種別を示すものである。
【００７８】
時間設定部１１４（時間設定手段に相当する）は、ジャンル取得部１１３によって取得された第１ジャンル情報及び第２ジャンル情報に基づいて、所定期間（ここでは、５０ｍｓｅｃ）の２以上の所定数倍の期間である第１の所定期間Ｔ１及び第２の所定期間Ｔ２をそれぞれ設定するものである。時間設定部１１４は、例えば、第１ジャンル情報（又は第２ジャンル情報）によって示される番組のジャンルが音声レベルの変動の早いジャンル（例えば、スポーツ中継等）である場合には、第１の所定期間Ｔ１（又は第２の所定期間Ｔ２）を０．５ｓｅｃ（＝５０ｍｓｅｃ×１０）に設定し、番組のジャンルが音声レベルの変動の遅いジャンル（例えば、ドラマ等）である場合には、第１の所定期間Ｔ１（又は第２の所定期間Ｔ２）を５ｓｅｃ（＝５０ｍｓｅｃ×１００）に設定するものである。
【００７９】
また、ジャンル情報に対応付けて第１の所定期間Ｔ１（及び第２の所定期間Ｔ２）が格納されたテーブルをＲＡＭ１２等に予め格納しておき、時間設定部１１４が、第１ジャンル情報（又は第２ジャンル情報）に対応する第１の所定期間Ｔ１（又は第２の所定期間Ｔ２）をＲＡＭ１２等に格納されたテーブルから読み出すことによって、第１の所定期間Ｔ１（又は第２の所定期間Ｔ２）を設定する形態でもよい。この場合には、時間設定部１１４の処理が簡略化される。
【００８０】
平均値算出部１１５（平均値算出手段に相当する）は、時間設定部１１４によって設定された第１の所定期間Ｔ１における第１振幅値ＡＭＰ１の平均値である第１平均値ＡＶ１を算出すると共に、時間設定部１１４によって設定された第２の所定期間Ｔ２における第２振幅値ＡＭＰ２の平均値である第２平均値ＡＶ２を算出するものである。
【００８１】
閾値設定部１１６（閾値設定手段に相当する）は、ジャンル取得部１１３によって取得された第１ジャンル情報及び第２ジャンル情報に基づいて、第１の閾値ＳＨ１及び第２の閾値ＳＨ２をそれぞれ設定するものである。
【００８２】
切換判定部１１７（切換判定手段に相当する）は、第２平均値ＡＶ２から第１平均値ＡＶ１を引いた差（＝ＡＶ２−ＡＶ１）が閾値設定部１１６によって設定された第１の閾値ＳＨ１以上であるか否かを判定し、第１の閾値ＳＨ１以上である（ＡＶ２−ＡＶ１≧ＳＨ１）場合に、第１音声に換えて第２音声をスピーカ１６３から出力させると判定するものである。
【００８３】
また、切換判定部１１７は、切換実行部１１８によって第１音声に換えて第２音声をスピーカ１６３から出力させる音声切換処理が実行された場合に、第１平均値ＡＶ１から第２平均値ＡＶ２を引いた差（＝ＡＶ１−ＡＶ２）が閾値設定部１１６によって設定された第２の閾値ＳＨ２以上であるか否かを判定し、第２の閾値ＳＨ２以上である（ＡＶ１−ＡＶ２≧ＳＨ２）場合に、第２音声に換えて第１音声をスピーカ１６３から出力させる（＝出力する音声を元に戻す）と判定するものである。
【００８４】
切換実行部１１８（切換実行手段に相当する）は、切換判定部１１７の判定結果に基づいて、音声出力部１１９に対して、第１音声に換えて、第２音声をスピーカ１６３から出力させるべく音声切換処理を実行すると共に、第２音声に換えて、第１音声をスピーカ２６３から出力させるべく音声切換処理を実行する（＝出力する音声を元に戻させる）ものである。
【００８５】
音声出力部１１９（音声出力手段に相当する）は、第１受信部１５Ａによって受信された１のテレビジョン放送に対応する音声である第１音声をスピーカ１６３から出力すると共に、切換実行部１１８からの指示に従って、スピーカ１６３から出力する音声を第１音声及び第２受信部１５Ｂによって受信された他のテレビジョン放送に対応する音声である第２音声の間で切り換えるものである。
【００８６】
図３は、デジタル放送受信機１（主にＭＰＵ１１）の動作の一例を示すフローチャートである。ここでは、便宜上、音声出力部１１９によって、第１受信部１５Ａによって受信された１のテレビジョン放送に対応する音声である第１音声がスピーカ１６３から出力されている場合について説明する。まず、振幅算出部１１２によって、第１音声及び第２音声の５０ｍｓｅｃ間の音声信号が、それぞれ、周波数分析される（Ｓ１０１）。そして、振幅算出部１１２によって、１００Ｈｚ〜１ｋＨｚの範囲の周波数に対応する振幅の合計値である第１振幅値ＡＭＰ１及び第２振幅値ＡＭＰ２が算出される（Ｓ１０３）。
【００８７】
次いで、ジャンル取得部１１３によって、第１ジャンル情報及び第２ジャンル情報が取得される（Ｓ１０５）。そして、時間設定部１１４によって、ステップＳ１０５で取得された第１ジャンル情報及び第２ジャンル情報に基づいて、第１の所定期間Ｔ１及び第２の所定期間Ｔ２がそれぞれ設定される（Ｓ１０７）。次に、平均値算出部１１５によって、ステップＳ１０７において設定された第１の所定期間Ｔ１における第１振幅値ＡＭＰ１の平均値である第１平均値ＡＶ１が算出されると共に、ステップＳ１０７において設定された第２の所定期間Ｔ２における第２振幅値ＡＭＰ２の平均値である第２平均値ＡＶ２が算出される（Ｓ１０９）。
【００８８】
そして、閾値設定部１１６によって、ステップＳ１０５で取得された第１ジャンル情報及び第２ジャンル情報に基づいて、第１の閾値ＳＨ１が設定される（Ｓ１１１）。次いで、切換判定部１１７によって、第２平均値ＡＶ２から第１平均値ＡＶ１を引いた差（＝ＡＶ２−ＡＶ１）がステップＳ１１１において設定された第１の閾値ＳＨ１以上であるか否かが判定される（Ｓ１１３）。第１の閾値ＳＨ１以上ではない（＝第１の閾値ＳＨ１未満である）と判定された場合（Ｓ１１３でＮＯ）には、処理がステップＳ１０１に戻され、ステップＳ１０１以降の処理が繰り返し実行される。第１の閾値ＳＨ１以上であると判定された場合（Ｓ１１３でＹＥＳ）には、切換実行部１１８によって、音声出力部１１９を介して、第１音声に換えて、第２音声をスピーカ１６３から出力させるべく音声切換処理が実行される（Ｓ１１５）。
【００８９】
次に、振幅算出部１１２によって、第１音声及び第２音声の５０ｍｓｅｃ間の音声信号が、それぞれ、周波数分析される（Ｓ１１７）。そして、振幅算出部１１２によって、１００Ｈｚ〜１ｋＨｚの範囲の周波数に対応する振幅の合計値である第１振幅値ＡＭＰ１及び第２振幅値ＡＭＰ２が算出される（Ｓ１１９）。
【００９０】
次いで、ジャンル取得部１１３によって、第１ジャンル情報及び第２ジャンル情報が取得される（Ｓ１２１）。そして、時間設定部１１４によって、ステップＳ１０５で取得された第１ジャンル情報及び第２ジャンル情報に基づいて、第１の所定期間Ｔ１及び第２の所定期間Ｔ２がそれぞれ設定される（Ｓ１２３）。次に、平均値算出部１１５によって、ステップＳ１０７において設定された第１の所定期間Ｔ１における第１振幅値ＡＭＰ１の平均値である第１平均値ＡＶ１が算出されると共に、ステップＳ１０７において設定された第２の所定期間Ｔ２における第２振幅値ＡＭＰ２の平均値である第２平均値ＡＶ２が算出される（Ｓ１２５）。
【００９１】
そして、閾値設定部１１６によって、ステップＳ１０５で取得された第１ジャンル情報及び第２ジャンル情報に基づいて、第２の閾値ＳＨ２が設定される（Ｓ１２７）。次いで、切換判定部１１７によって、第１平均値ＡＶ１から第２平均値ＡＶ２を引いた差（＝ＡＶ１−ＡＶ２）がステップＳ１２７において設定された第２の閾値ＳＨ２以上であるか否かが判定される（Ｓ１２９）。第２の閾値ＳＨ２以上ではない（＝第２の閾値ＳＨ２未満である）と判定された場合（Ｓ１２９でＮＯ）には、処理がステップＳ１１７に戻され、ステップＳ１１７以降の処理が繰り返し実行される。第２の閾値ＳＨ２以上であると判定された場合（Ｓ１２９でＹＥＳ）には、切換実行部１１８によって、音声出力部１１９を介して、第２音声に換えて、第１音声をスピーカ１６３から出力させるべく音声切換処理が実行され（Ｓ１３１）、処理がステップＳ１０１に戻されて、ステップＳ１０１以降の処理が繰り返し実行される。
【００９２】
このようにして、子画面としてディスプレイ１８３に表示する他のテレビジョン放送に対応する音声である第２音声が、親画面としてディスプレイ１８３に表示する１のテレビジョン放送に対応する音声である第１音声と比較され、第１音声に換えて第２音声をスピーカ１６３から出力させるか否かが判定される。そして、その判定結果に基づいて、第１音声に換えて、第２音声をスピーカ１６３から出力させるべく音声切換処理が実行されるため、適正なタイミングで出力する音声を切り換えることができる。
【００９３】
すなわち、第２音声が第１音声と比較されて、第１音声に換えて第２音声をスピーカ１６３から出力させるか否かが判定されるため、例えば、親画面に表示された番組が注目シーンである場合に、子画面に表示された番組の音声に切り換えられることが防止されるので、適正なタイミングで出力する音声を切り換えることができるのである。
【００９４】
また、予め設定された所定期間（ここでは、５０ｍｓｅｃ）における第１音声及び第２音声の音声信号が、それぞれ、周波数分析され、予め設定された所定範囲の周波数（ここでは、１００Ｈｚ〜１ｋＨｚ）の振幅の合計値である第１振幅値ＡＭＰ１及び第２振幅値ＡＭＰ２が算出され、第１振幅値ＡＭＰ１及び第２振幅値ＡＭＰ２に基づいて、第１音声に換えて第２音声をスピーカ１６３から出力させるか否かが判定されるため、更に適正なタイミングで出力する音声を切り換えることができる。
【００９５】
すなわち、第１音声及び第２音声の音声信号を周波数分析する対象の期間と、判定に使用する音声信号の周波数の範囲とを適正に設定する（例えば、周波数分析する対象の期間を５０ｍｓｅｃとし、判定に使用する音声信号の周波数の範囲を１００Ｈｚ〜１ｋＨｚとする）ことによって、更に適正なタイミングで出力する音声を切り換えることができるのである。
【００９６】
更に、所定範囲の周波数が、１００Ｈｚ〜１ｋＨｚであるため、更に適正なタイミングで出力する音声を切り換えることができる。すなわち、判定に使用する音声信号の周波数の範囲が、人の発する声の周波数に相当する略１００Ｈｚ〜１ｋＨｚであるため、更に適正なタイミングで出力する音声を切り換えることができるのである。
【００９７】
加えて、所定期間（ここでは、５０ｍｓｅｃ）の予め設定された２以上の所定数倍の期間である第１の所定期間Ｔ１における第１振幅値ＡＭＰ１の平均値である第１平均値ＡＶ１が算出されると共に、所定期間（ここでは、５０ｍｓｅｃ）の予め設定された２以上の所定数倍の期間である第２の所定期間Ｔ２における第２振幅値ＡＭＰ２の平均値である第２平均値ＡＶ２が算出され、第１平均値ＡＶ１及び第２平均値ＡＶ２に基づいて、第１音声に換えて第２音声をスピーカ１６３から出力させるか否かが判定されるため、更に適正なタイミングで出力する音声を切り換えることができる。
【００９８】
すなわち、第１音声については、所定期間（ここでは、５０ｍｓｅｃ）の予め設定された２以上の所定数倍の期間である第１の所定期間Ｔ１における第１振幅値ＡＭＰ１の平均値である第１平均値ＡＶ１が算出され、第２音声については、所定期間（ここでは、５０ｍｓｅｃ）の予め設定された２以上の所定数倍の期間である第２の所定期間Ｔ２における第２振幅値ＡＭＰ１の平均値である第２平均値ＡＶ１が算出されて、第１平均値ＡＶ１及び第２平均値ＡＶ２に基づいて、判定されるため、第１の所定期間Ｔ１及び第２の所定期間Ｔ２を適正に設定することによって、更に適正なタイミングで出力する音声を切り換えることができるのである。
【００９９】
例えば、１のテレビジョン放送に対応する番組が、音声レベルの変動の早い番組（例えば、スポーツ中継等）であり、他のテレビジョン放送に対応する番組が、音声レベルの変動の遅い番組（例えば、ドラマ等）である場合には、第１の所定期間Ｔ１を０．５ｓｅｃ（＝５０ｍｓｅｃ×１０）、第２の所定期間Ｔ２を５ｓｅｃ（＝５０ｍｓｅｃ×１００）とすることによって、更に適正なタイミングで出力する音声を切り換えることができるのである。
【０１００】
また、第２平均値ＡＶ２から第１平均値ＡＶ１を引いた差が予め設定された第１の閾値ＳＨ１以上であるか否かが判定され、第１の閾値ＳＨ１以上である（ＡＶ２−ＡＶ１≧ＳＨ１）場合に、第１音声に換えて第２音声をスピーカ１６３から出力させると判定されるとため、更に適正なタイミングで出力する音声を切り換えることができる。
【０１０１】
すなわち、第１の閾値ＳＨ１を適正に設定することによって、更に適正なタイミングで出力する音声を切り換えることができるのである。例えば、ユーザが音声を切り換える頻度を減少させたい場合には、第１の閾値ＳＨ１を大きく設定し、ユーザが音声を切り換える頻度を増加させたい場合には、第１の閾値ＳＨ１を小さく設定することによって、適正な頻度で音声を切り換えることができるのである。
【０１０２】
更に、１のテレビジョン放送及び他のテレビジョン放送にそれぞれ対応する番組のジャンル情報である第１ジャンル情報及び第２ジャンル情報が取得され、取得された第１ジャンル情報及び第２ジャンル情報に基づいて、第１の所定期間Ｔ１及び第２の所定期間Ｔ２がそれぞれ設定される。そして、設定された第１の所定期間Ｔ１における第１振幅値ＡＭＰ１の平均値が第１平均値ＡＶ１として算出されると共に、設定された第２の所定期間Ｔ２における第２振幅値ＡＭＰ２の平均値が第２平均値ＡＶ２として算出されるため、更に適正なタイミングで出力する音声を切り換えることができる。
【０１０３】
すなわち、番組のジャンル情報に基づいて第１の所定期間Ｔ１及び第２の所定期間Ｔ２がそれぞれ設定されるため、第１の所定期間Ｔ１及び第２の所定期間Ｔ２を適正な値に設定することができるので、更に適正なタイミングで出力する音声を切り換えることができるのである。
【０１０４】
例えば、１のテレビジョン放送に対応する番組のジャンルが、音声レベルの変動の早いジャンル（例えば、スポーツ中継等）であり、他のテレビジョン放送に対応する番組のジャンルが、音声レベルの変動の遅いジャンル（例えば、ドラマ等）である場合には、第１の所定期間Ｔ１を０．５ｓｅｃ（＝５０ｍｓｅｃ×１０）、第２の所定期間Ｔ２を５ｓｅｃ（＝５０ｍｓｅｃ×１００）とすることによって、更に適正なタイミングで出力する音声を切り換えることができるのである。
【０１０５】
加えて、１のテレビジョン放送及び他のテレビジョン放送にそれぞれ対応する番組のジャンル情報である第１ジャンル情報及び第２ジャンル情報に基づいて、第１の閾値ＳＨ１が設定され、設定された第１の閾値ＳＨ１を用いて判定されるため、更に適正なタイミングで出力する音声を切り換えることができる。
【０１０６】
すなわち、番組のジャンル情報に基づいて第１の閾値ＳＨ１が設定されるため、第１の閾値ＳＨ１を適正な値に設定することができるので、更に適正なタイミングで出力する音声を切り換えることができるのである。
【０１０７】
例えば、１のテレビジョン放送に対応する番組のジャンルが、音声レベルの高いジャンル（例えば、スポーツ中継等）であり、他のテレビジョン放送に対応する番組のジャンルが、音声レベルの低いジャンル（例えば、ドラマ等）である場合には、第１の閾値ＳＨ１を大きく設定することによって、更に適正なタイミングで出力する音声を切り換えることができるのである。
【０１０８】
また、第１音声に換えて第２音声をスピーカから出力させる音声切換処理が実行された場合に、第１平均値ＡＶ１及び第２平均値ＡＶ２に基づいて、第２音声に換えて第１音声をスピーカ１６３から出力させるか否かが判定され、その判定結果に基づいて、第２音声に換えて、第１音声をスピーカ１６３から出力させるべく音声切換処理が実行されるため、適正なタイミングで出力する音声を元に戻す（＝第２音声に換えて第１音声を出力する）ことができる。
【０１０９】
更に、第１平均値ＡＶ１から第２平均値ＡＶ２を引いた差が予め設定された第２の閾値ＳＨ２以上であるか否かが判定され、第２の閾値ＳＨ２以上である（ＡＶ１−ＡＶ２≧ＳＨ２）場合に、第２音声に換えて第１音声をスピーカ１６３から出力させると判定されるため、第２の閾値ＳＨ２を適正な値に設定することによって、更に適正なタイミングで出力する音声を元に戻す（＝第２音声に換えて第１音声を出力する）ことができる。
【０１１０】
加えて、第１ジャンル情報及び第２ジャンル情報に基づいて、第２の閾値ＳＨ２が設定され、設定された第２の閾値ＳＨ２を用いて判定されるため、更に適正なタイミングで出力する音声を元に戻す（＝第２音声に換えて第１音声を出力する）ことができる。
【０１１１】
すなわち、番組のジャンル情報に基づいて第２の閾値ＳＨ２が設定されるため、第２の閾値ＳＨ２を適正な値に設定することができるので、更に適正なタイミングで出力する音声を元に戻す（＝第２音声に換えて第１音声を出力する）ことができるのである。
【０１１２】
例えば、１のテレビジョン放送に対応する番組のジャンルが、音声レベルの高いジャンル（例えば、スポーツ中継等）であり、他のテレビジョン放送に対応する番組のジャンルが、音声レベルの低いジャンル（例えば、ドラマ等）である場合には、第２の閾値ＳＨ２を小さく設定することによって、更に適正なタイミングで出力する音声を元に戻す（＝第２音声に換えて第１音声を出力する）ことができるのである。
【０１１３】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。
【０１１４】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【０１１５】
（Ｃ）本実施形態では、表示制御部１１１が、第１映像を親画面としてディスプレイ１８３に表示すると共に、第２映像を子画面としてディスプレイ１８３に表示する場合について説明したが、切換実行部１１８によって第１音声と第２音声との間で音声が切り換えられる度に、表示制御部１１１が、親画面及び子画面に表示する映像を切り換える形態でもよい。
【０１１６】
すなわち、切換実行部１１８によって出力する音声が第１音声から第２音声に切り換えられた場合に、表示制御部１１１が、第２映像を親画面に表示すると共に、第１映像を子画面に表示し、切換実行部１１８によって出力する音声が第２音声から第１音声に切り換えられた場合に、表示制御部１１１が、第１映像を親画面に表示すると共に、第２映像を子画面に表示する形態でもよい。この場合には、更に確実に注目シーンを見逃すことを防止することができる。
【０１１７】
（Ｄ）本実施形態では、表示制御部１１１が、第１映像を親画面としてディスプレイ１８３に表示すると共に、第２映像を子画面としてディスプレイ１８３に表示する場合について説明したが、表示制御部１１１が、第１映像を親画面としてディスプレイ１８３に表示すると共に、第２映像を含む複数の子画面をディスプレイ１８３に表示する形態でもよい。この場合には、更に多数の映像を同時にディスプレイ１８３に表示することができるため、ユーザの利便性が向上する。
【０１１８】
（Ｅ）本実施形態では、振幅算出部１１２が、５０ｍｓｅｃにおける第１音声及び第２音声の音声信号をそれぞれ周波数分析する場合について説明したが、第１音声及び第２音声の音声信号を周波数分析する期間をジャンル取得部１１３によって取得された第１ジャンル情報及び第２ジャンル情報に基づいてそれぞれ設定する形態でもよい。この場合には、更に適正な第１振幅値ＡＭＰ１及び第２振幅値ＡＭＰ２を得ることができる。すなわち、音声出力の変化の激しいジャンルの番組（例えば、音楽番組等）については、短い時間（例えば、１０ｍｓｅｃ）において周波数分析を行い、音声出力の変化の緩やかなジャンルの番組（例えば、報道番組等）については、長い時間（例えば、１００ｍｓｅｃ）において周波数分析を行うことが好ましい。
【０１１９】
（Ｆ）本実施形態では、振幅算出部１１２が、１００Ｈｚ〜１ｋＨｚの範囲の周波数に対応する振幅の合計値を算出する場合について説明したが、振幅算出部１１２が、その他の周波数範囲における振幅の合計値を算出する形態でもよい。例えば、振幅算出部１１２が、ジャンル取得部１１３によって取得された第１ジャンル情報及び第２ジャンル情報に基づいて周波数範囲を設定する形態でもよい。この場合には、更に適正な第１振幅値ＡＭＰ１及び第２振幅値ＡＭＰ２を得ることができる。すなわち、ジャンルによって、注目シーンを特定する周波数範囲が予め推定することができる場合には、振幅算出部１１２が、振幅の合計値を算出する周波数範囲を、注目シーンを特定する周波数範囲に設定することが好ましい。
【０１２０】
（Ｇ）本実施形態では、切換判定部１１７が、第１平均値ＡＶ１及び第２平均値ＡＶ２に基づいて、出力する音声を切り換えるか否かを判定する場合について説明したが、切換判定部１１７が、第１振幅値ＡＭＰ１及び第２振幅値ＡＭＰ２に基づいて、出力する音声を切り換えるか否かを判定する形態でもよい。この場合には、処理が簡略化される。
【０１２１】
（Ｈ）本実施形態では、切換判定部１１７が、切換実行部１１８によって第１音声に換えて第２音声をスピーカ１６３から出力させる音声切換処理が実行された場合に、第１平均値ＡＶ１から第２平均値ＡＶ２を引いた差が第２の閾値ＳＨ２以上であるか否かを判定する場合について説明したが、切換判定部１１７が、切換実行部１１８によって第１音声に換えて第２音声をスピーカ１６３から出力させる音声切換処理が実行された場合に、予め設定された所定時間（例えば、１分間）経過後に、第１平均値ＡＶ１から第２平均値ＡＶ２を引いた差が第２の閾値ＳＨ２以上であるか否かを判定する形態でもよい。この場合には、出力する音声が第１音声から第２音声に切り換えられた直後（例えば、１０秒後）に、第２音声から第１音声に切り換えられることを防止することができる。
【図面の簡単な説明】
【０１２２】
【図１】は、本発明に係るデジタル放送受信装置の構成の一例を示すブロック図である。
【図２】は、図１に示すデジタル放送受信機の主要部の構成の一例を示すブロック図である。
【図３】は、デジタル放送受信機（主にＭＰＵ）の動作の一例を示すフローチャートである。
【符号の説明】
【０１２３】
１    デジタル放送受信機（放送受信装置）
１１    ＭＰＵ
１１１    表示制御部（表示制御手段の一部）
１１２    振幅算出部（振幅算出手段）
１１３    ジャンル取得部（ジャンル取得手段）
１１４    時間設定部（時間設定手段）
１１５    平均値算出部（平均値算出手段）
１１６    閾値設定部（閾値設定手段）
１１７    切換判定部（切換判定手段）
１１８    切換実行部（切換実行手段）
１１９    音声出力部（音声出力手段）
１５    受信部
１５Ａ    第１受信部
１５Ｂ    第２受信部
１６    音声出力部
１６３    スピーカ
１８    画像出力部
１８３    ディスプレイ（モニタ）
１９    画像合成部（表示制御手段の一部）
【図１】
2008131428.tif 000003
【図２】
2008131428.tif 000004
【図３】
2008131428.tif 000005